【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
(A)第1の端部及び第2の端部を有する基板であって、少なくとも１つの非平面を有する前記基板と、
(B)前記少なくとも１つの非平面に直線的に配置された、第1の光電池及び第2の光電池を含む複数の光電池と
を含む、太陽電池ユニットであって、
前記複数の光電池における前記第1の光電池が、前記複数の光電池における前記第2の光電池に電気的に直列につながれている、前記太陽電池ユニット。
【請求項２】
前記基板が20GPa以上のヤング率を有する、請求項1記載の太陽電池ユニット。
【請求項３】
前記基板が線形材料で構成される、請求項1記載の太陽電池ユニット。
【請求項４】
前記基板のすべて又は一部が硬質管又は硬質中実棒である、請求項1記載の太陽電池ユニット。
【請求項５】
前記基板のすべて又は一部が円形断面、卵形断面、三角形断面、五角形断面、六角形断面、少なくとも1つの弓形部を有する断面又は少なくとも1つの湾曲部を有する断面を特徴とする、請求項1記載の太陽電池ユニット。
【請求項６】
前記基板の第1の部分が第1の断面形状を特徴とし、前記基板の第2の部分が第2の断面形状を特徴とする、請求項1記載の太陽電池ユニット。
【請求項７】
前記基板がガラスで構成される、請求項1記載の太陽電池ユニット。
【請求項８】
前記基板の断面が円周であり、1mmから1000mmの外径を有する、請求項1記載の太陽電池ユニット。
【請求項９】
前記基板の断面が、
前記基板の中空内部を定める内側半径、及び
前記基板の境界線を定める外側半径を特徴とする、請求項1記載の太陽電池ユニット。
【請求項１０】
前記太陽電池ユニットが5mmから10000mmの長さを有する、請求項1記載の太陽電池ユニット。
【請求項１１】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池が、
前記基板の前記第1の端部の第1の末端光電池と、
前記基板の前記第2の端部の第2の末端光電池と、
前記第1の末端光電池と前記第2の光電池との間の少なくとも1つの中間光電池とを含み、前記少なくとも1つの中間光電池における各中間光電池の透明導電層が、前記複数の光電池における隣接する光電池の背面電極と直列電気接続する、請求項1〜10のいずれか一項記載の太陽電池ユニット。
【請求項１２】
前記隣接する光電池が、前記第1の末端光電池又は前記第2の末端光電池である、請求項11記載の太陽電池ユニット。
【請求項１３】
前記隣接する光電池が別の中間光電池である、請求項11記載の太陽電池ユニット。
【請求項１４】
前記複数の光電池が3つ以上の光電池を含む、請求項1記載の太陽電池ユニット。
【請求項１５】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、前記複数の光電池における光電池のすべて又は一部の透明導電層に円周方向に配置された透明管状ケースをさらに含む、請求項1記載の太陽電池ユニット。
【請求項１６】
前記透明管状ケースがプラスチック又はガラスで構成される、請求項15記載の太陽電池ユニット。
【請求項１７】
前記基板が硬質中実棒を含む、請求項1記載の太陽電池ユニット。
【請求項１８】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池の背面電極がアルミニウム、モリブデン、タングステン、バナジウム、ロジウム、ニオビウム、クロム、タンタル、チタン、鋼、ニッケル、白金、銀、金、それらの合金又はそれらの任意の組合せで構成される、請求項1記載の太陽電池ユニット。
【請求項１９】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池の背面電極が、インジウム錫酸化物、窒化チタン、酸化錫、フッ素ドープ酸化錫、ドープ酸化亜鉛、アルミニウムドープ酸化亜鉛、ガリウムドープ酸化亜鉛、ホウ素ドープ酸化亜鉛インジウム-亜鉛酸化物、金属-カーボンブラック充填酸化物、グラファイト-カーボンブラック充填酸化物、カーボンブラック-カーボンブラック充填酸化物、超導電性カーボンブラック充填酸化物、エポキシ、導電性ガラス又は導電性プラスチックで構成される、請求項1記載の太陽電池ユニット。
【請求項２０】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池の半導体接合部が、ホモ接合、ヘテロ接合、ヘテロ面接合、埋め込みホモ接合、p-i-n接合又は直列接合を含む、請求項1記載の太陽電池ユニット。
【請求項２１】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池の透明導電層が、炭素ナノチューブ、酸化錫、フッ素ドープ酸化錫、インジウム錫酸化物(ITO)、ドープ酸化亜鉛、アルミニウムドープ酸化亜鉛、ガリウムドープ酸化亜鉛、ホウ素ドープ酸化亜鉛インジウム-亜鉛酸化物又はそれらの任意の組合せ又はそれらの任意の組合せを含む、請求項1記載の太陽電池ユニット。
【請求項２２】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池の半導体接合部が、吸収体層及び接合パートナー層を含み、前記接合パートナー層が、前記吸収体層に円周方向に配置されている、請求項1記載の太陽電池ユニット。
【請求項２３】
前記吸収体層が銅-インジウム-ガリウム-ジセレニドを含み、前記接合パートナー層がIn2Se3、In2S3、ZnS、ZnSe、CdInS、CdZnS、ZnIn2Se4、Zn1-xMgxO、CdS、SnO2、ZnO、ZrO2又はドープZnOを含む、請求項22記載の太陽電池ユニット。
【請求項２４】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における光電池が、前記光電池の前記半導体接合部に円周方向に配置された真性層をさらに含み、前記光電池の前記透明導電層が前記真性層に配置される、請求項1記載の太陽電池ユニット。
【請求項２５】
前記真性層が非ドープ透明酸化物を含む、請求項24記載の太陽電池ユニット。
【請求項２６】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、
前記複数の光電池における光電池のすべて又は一部の透明導電層に円周方向に配置された充填剤層と、
前記充填剤層に円周方向に配置された透明管状ケースとをさらに含む、請求項1記載の太陽電池ユニット。
【請求項２７】
前記充填剤層が、エチレン酢酸ビニル(EVA)、シリコーン、シリコーンゲル、エポキシ、ポリジメチルシロキサン(PDMS)、RTVシリコーンゴム、ポリビニルブチラール(PVB)、熱可塑性ポリウレタン(TPU)、ポリカーボネート、アクリル、フルオロポリマー又はウレタンを含む、請求項26記載の太陽電池ユニット。
【請求項２８】
前記充填剤層が1×106cP未満の粘度を有する、請求項26記載の太陽電池ユニット。
【請求項２９】
前記充填剤層が500×10-6/℃を超える熱膨張率を有する、請求項26記載の太陽電池ユニット。
【請求項３０】
前記充填剤層が、誘電ゲルと混合されたシリコン油から形成される、請求項26記載の太陽電池ユニット。
【請求項３１】
前記シリコン油がポリジメチルシロキサンポリマー液であり、前記誘電ゲルが、第1のシリコーンエラストマーと第2のシリコーンエラストマーとの混合物である、請求項30記載の太陽電池ユニット。
【請求項３２】
前記充填剤層がX重量％のポリジメチルシロキサンポリマー液、Y重量％の第1のシリコーンエラストマー及びZ重量％の第2のシリコーンエラストマーから形成され、X、Y及びZの合計が100になる、請求項26記載の太陽電池ユニット。
【請求項３３】
前記ポリジメチルシロキサンポリマー液が化学式(CH3)3SiO[SiO(CH3)2]nSi(CH3)3を有し、nが、ポリマー液が50センチストークから100000センチストークの範囲の平均バルク粘度を有するように選択される範囲の整数である、請求項32記載の太陽電池ユニット。
【請求項３４】
前記第1のシリコーンエラストマーが少なくとも60重量パーセントのジメチルビニル末端ジメチルシロキサン及び3から7重量パーセントの珪酸塩を含む、請求項32記載の太陽電池ユニット。
【請求項３５】
前記第2のシリコーンエラストマーが、(i)少なくとも60重量パーセントのジメチルビニル末端ジメチルシロキサン;(ii)10から30重量パーセントの水素末端ジメチルシロキサン;及び(iii)3から7重量パーセントのトリメチル化シリカを含む、請求項32記載の太陽電池ユニット。
【請求項３６】
Xが30から90であり;Yが2から20であり;Zが2から20である、請求項32記載の太陽電池ユニット。
【請求項３７】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、
前記複数の光電池における光電池のすべて又は一部の透明導電層に円周方向に配置された耐水層と、
前記耐水層に円周方向に配置された透明管状ケースとをさらに含む、請求項1記載の太陽電池ユニット。
【請求項３８】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、
前記複数の光電池における光電池のすべて又は一部の透明導電層に円周方向に配置された透明管状ケースと、
前記透明管状ケースに円周方向に配置された反射防止膜とをさらに含む、請求項1記載の太陽電池ユニット。
【請求項３９】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、前記複数の光電池における光電池のすべて又は一部の透明導電層に円周方向に配置された反射防止膜をさらに含む、請求項1記載の太陽電池ユニット。
【請求項４０】
複数の太陽電池ユニットを含む太陽電池組立品であって、前記複数の太陽電池ユニットにおける各太陽電池ユニットが請求項1記載の太陽電池ユニットの構造を有し、前記複数の太陽電池ユニットにおける太陽電池ユニットが、前記太陽電池組立品を形成するように共平面列で配置される、前記太陽電池組立品。
【請求項４１】
(A)複数の太陽電池ユニットであって、前記複数の太陽電池ユニットにおける各太陽電池ユニットが請求項1記載の太陽電池ユニットの構造を有し、前記複数の太陽電池ユニットにおける太陽電池ユニットが幾何学的に並列又はほぼ並列に配置されることによって、第1の面及び第2の面を有する平面アレイを形成する、複数の太陽電池ユニットと、
(B)前記平面アレイの前記第1の面のすべて又は一部を被覆する透明電気絶縁性基板と、
(C)前記平面アレイの前記第2の面に配置される透明絶縁性カバーであって、前記透明絶縁性カバーと前記透明電気絶縁性基板との間に前記複数の長形太陽電池を収容する、透明絶縁性カバーと
を含む、太陽電池組立品。
【請求項４２】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
複数の光電池における光電池の透明導電層が蛍光材料で被覆された、請求項1記載の太陽電池ユニット。
【請求項４３】
(A)少なくとも１つの非平面を有する基板と、
(B)前記基板の第1の部分に円周方向に配置された第1の背面電極、
前記第1の背面電極に円周方向に配置された第1の半導体接合部、及び
前記第1の半導体接合部に円周方向に配置された第1の透明導電層を含む第1の光電池と、
(C)前記基板の第2の部分に円周方向に配置された第2の背面電極、
前記第2の背面電極に円周方向に配置された第2の半導体接合部、及び
前記第2の半導体接合部に円周方向に配置された第2の透明導電層を含む第2の光電池とを含む太陽電池ユニットであって、
(i)前記第1の光電池が前記第2の光電池に隣接し、
(ii)前記第1の透明導電層が前記第2の背面電極と直列電気接続し、
(iii)前記第1の透明導電層が前記第2の透明導電層と電気的に絶縁され、
(iv)前記第1の背面電極が前記第2の背面電極と電気的に絶縁される、前記太陽電池ユニット。
【請求項４４】
(A)少なくとも１つの非平面を有する基板と、
(B)前記基板の第1の部分に円周方向に配置された第1の背面電極、
前記第1の背面電極に円周方向に配置された第1の半導体接合部、及び
前記第1の半導体接合部に円周方向に配置された第1の透明導電層を含む第1の光電池と、
(C)前記基板の第2の部分に円周方向に配置された第2の背面電極、
前記第2の背面電極に円周方向に配置された第2の半導体接合部、及び
前記第2の半導体接合部に円周方向に配置された第2の透明導電層を含む第2の光電池と、
(D)(i)前記第1の背面電極と前記第2の背面電極とを電気的に分離し、(ii)前記第1の半導体接合部と前記第2の半導体接合部とを電気的に分離する絶縁性支柱と、
(E)前記第1の透明導電層を前記第2の背面電極と電気的に直列接続させる導電性バイアとを含む、太陽電池ユニット。
【請求項４５】
(A)少なくとも１つの非平面を有する基板と、
(B)前記基板の第1の部分に円周方向に配置された第1の背面電極、
前記第1の背面電極に円周方向に配置された第1の半導体接合部、及び
前記第1の半導体接合部に円周方向に配置された第1の透明導電層を含む第1の光電池と、
(C)前記基板の第2の部分に円周方向に配置された第2の背面電極、
前記第2の背面電極に円周方向に配置された第2の半導体接合部、及び
前記第2の半導体接合部に円周方向に配置された第2の透明導電層を含む第2の光電池と、
(D)(i)前記第1の背面電極と前記第2の背面電極とを電気的に分離し、(ii)前記第1の半導体接合部と前記第2の半導体接合部とを電気的に分離する絶縁性支柱と
を含む太陽電池ユニットであって、
前記第1の透明導電層が前記第2の背面電極と直列電気接続し、
前記第1の透明導電層が前記第2の透明導電層と電気的に絶縁される、前記太陽電池ユニット。
【請求項４６】
(A)少なくとも１つの非平面を有する基板と、
(B)前記基板の第1の部分に円周方向に配置された第1の背面電極、
前記第1の背面電極に円周方向に配置された第1の半導体接合部、
前記第1の半導体接合部に円周方向に配置された第1の透明導電層、及び
第1の透明酸化物層の一部に配置された電線管を含む第1の光電池と、
(C)前記基板の第2の部分に円周方向に配置された第2の背面電極、
前記第2の背面電極に円周方向に配置された第2の半導体接合部、及び
前記第2の半導体接合部に円周方向に配置された第2の透明導電層を含む第2の光電池と、
(D)(i)前記第1の背面電極と前記第2の背面電極とを電気的に分離し、(ii)前記第1の半導体接合部と前記第2の半導体接合部とを電気的に分離し、(iii)前記第1の透明導電層と前記第2の透明導電層とを電気的に分離する絶縁性支柱と、
(E)前記電線管を前記第2の背面電極と電気的に直列接続させる導電性バイアとを含む、太陽電池ユニット。
【請求項４７】
流体を基板に流すことを含む方法であって、
(A)前記基板が第1の端部及び第2の端部を有し、前記基板が中空円筒状及び硬質であり、
(B)複数の光電池が前記基板に直線的に配置され、前記複数の光電池が第1の光電池及び第2の光電池を含み、前記複数の光電池における各光電池が、
前記基板に円周方向に配置された背面電極、
前記背面電極に円周方向に配置された半導体接合部、及び
前記半導体接合部に円周方向に配置された透明導電層を含み、
前記複数の光電池における前記第1の光電池の透明導電層が、前記複数の光電池における前記第2の光電池の背面電極と直列電気接続する、前記方法。
【請求項４８】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記太陽電池ユニットが、ならびに前記複数の光電池が、
前記基板の前記第1の端部の第1の末端光電池と、
前記基板の前記第2の端部の第2の末端光電池と、
前記第1の末端光電池と前記第2の光電池との間の少なくとも1つの中間光電池とを含み、前記少なくとも1つの中間光電池における各中間光電池の透明導電層が、前記複数の光電池における隣接する光電池の背面電極と直列電気接続する、請求項1記載の太陽電池ユニット。
【請求項４９】
前記隣接する光電池が、前記第1の末端光電池又は前記第2の末端光電池である、請求項48記載の太陽電池ユニット。
【請求項５０】
前記隣接する光電池が、前記複数の光電池における別の中間光電池である、請求項48記載の太陽電池ユニット。
【請求項５１】
前記複数の光電池における各光電池が、
前記基板に円周方向に配置された背面電極と、
前記背面電極に円周方向に配置された半導体接合部と、
前記半導体接合部に円周方向に配置された透明導電層とを含み、かつ
前記複数の光電池における前記第1の光電池の透明導電層が、前記複数の光電池における前記第2の光電池の背面電極と直列電気接続し、それにより前記複数の光電池における前記第1の光電池が前記複数の光電池における前記第2の光電池に電気的に直列につながれる、請求項1記載の太陽電池ユニット。